(57)【要約】【課題】長期間にわたって２種類の異なる性質のゴミによる縦すじの発生を防止する。【解決手段】搬送される原稿を読み取る第２読取部２５と、第２読取部２５に対向して設けられ、原稿を案内して原稿と原稿読取手段との距離を設定する第２読取ローラ２６と、を具備する画像読取装置において、第２読取部２５の読取面は、汚れ分解機能を有するコーティング部材、又は、親水性を有するコーティング部材を備えてなり、第２読取ローラ２６と第２読取部２５との距離を変えることができるソレノイド３０１を備える。【選択図】図６
2008258872.tif 000002
【特許請求の範囲】
【請求項１】
搬送される原稿を読取る原稿読取手段と、前記原稿読取手段に対向して設けられ、原稿を案内して原稿と原稿読取手段との距離を設定するガイド手段と、を具備する画像読取装置において、
前記原稿読取手段の読取面は、汚れ分解機能を有するコーティング部材、又は、親水性を有するコーティング部材を備えてなり、
前記ガイド手段と原稿読取手段との距離を変えることができる距離変更機構を備えることを特徴とする原稿読取装置。
【請求項２】
前記距離変更機構は、
原稿が前記原稿読取手段で読取られながら搬送されるとき、前記ガイド手段と前記原稿読取手段との距離を原稿読取に適した距離に保ち、
原稿が前記原稿読取手段で読取られずに搬送されるとき、前記ガイド手段と原稿読取手段との距離を前記原稿読取に適した距離より広げることを特徴とする請求項１記載の原稿読取装置。
【請求項３】
前記距離変更機構は、原稿読取手段とガイド手段の間の距離広げるソレノイドを備えることを特徴とする請求項１又は２記載の原稿読取装置。
【請求項４】
前記距離変更機構は、原稿読取手段とガイド手段の間の距離を広げるモータを備えることを特徴とする請求項１又は２記載の原稿読取装置。
【請求項５】
前記モータは、搬送ローラ駆動用のモータを兼ねていることを特徴とする請求項４記載の原稿読取装置。
【請求項６】
原稿読取装置は原稿の表面及び裏面を読取る両面モードと、原稿の表面だけを読取る片面モードを備え、
前記原稿読取手段は原稿の裏面を読取り可能な位置に配置され、
前記距離変更機構は、
画像読取装置の両面モード時に前記ガイド手段と原稿読取手段と間の距離を原稿読取に適した距離に保ち、
原稿読取装置の片面モード時に前記原稿読取手段と原稿との距離を前記原稿読取に適した距離より広げることを特徴とする請求項１乃至５のいずれか記載の原稿読取装置。
【請求項７】
前記距離変更機構は、原稿読取装置の片面モード時において、読取処理における原稿の１枚目についてはガイド手段と原稿読取手段との間の距離を前記原稿の読取に適した距離に保つことを特徴とする請求項６記載の原稿読取装置。
【請求項８】
前記距離変更機構は、原稿読取装置の片面モード時において、読取処理における最初の所定枚数の原稿についてはガイド手段と原稿読取手段との間の距離を前記原稿読取に適した距離に保つことを特徴とする請求項６記載の原稿読取装置。
【請求項９】
前記距離変更機構は、原稿のジャム時に、原稿読取手段とガイド手段の間の距離を広げることを特徴とする請求項１乃至８のいずれか記載の原稿読取装置。
【請求項１０】
前記ガイド手段は、ローラであることを特徴とする請求項１乃至９のいずれか記載の原稿読取装置。
【請求項１１】
前記ローラ端部に軸受が配置されており、当該軸受の外周面の一部と前記原稿読取手段読取面を接触させることにより、前記ローラと原稿読取手段の距離を前記原稿読取に適した距離保ち、
前記ローラと前記原稿読取手段と間の距離を広げるときは、前記軸受が固定された状態でローラのみが移動する構成を備えることを特徴とする請求項１０記載の原稿読取装置。
【請求項１２】
前記ローラと前記原稿読取手段との間の距離を広げているときには、前記ローラの回転を停止することを特徴とする請求項１０又は１１記載の原稿読取装置。
【請求項１３】
前記請求項１乃至請求項１２のいずれか記載の原稿読取装置を備えることを特徴とする画像形成装置。
【発明の詳細な説明】
【技術分野】
【０００１】
本発明は、原稿読取装置及び画像形成装置に係り、特に搬送される原稿を読取る原稿読取手段と、前記原稿読取手段に対向して設けられ、原稿を案内して原稿と原稿読取手段との距離を設定するガイド手段と、を具備する画像読取装置及び画像形成装置に関する。
【背景技術】
【０００２】
画像読取装置には、ＣＣＤ等のイメージセンサを利用した縮小光学系タイプのものと、原稿の横幅方向（主操作方向）に渡るライン形状の光源とイメージセンサを並列的に配置した密着型の等倍光学系タイプのものが存在する。いずれのタイプのイメージセンサであっても、原稿の画像を正確に読取るためには、画像読取位置において、原稿を所定の一定速度で安定走行させると共に、原稿を読取面に近づけて走行させることが重要である。特に等倍光学系の密着イメージセンサは、縮小光学系のものと比較して焦点深度が極めて浅いために、原稿を読取面に密着走行させる必要がある。
【０００３】
このように画像読取装置においては、イメージセンサと原稿と距離を適正に保つ必要がある。このような原稿読取装置として以下のものがある。特許文献１には、オペレータが操作部から、特定の入力手段の押下に応じて、離隔手段が原稿押圧搬送手段を搬送路から離隔する方向に移動させるように離隔手段と、離隔手段を制御する制御手段とを備える画像読取装置が記載されている。
【０００４】
また、特許文献２には、原稿画像の表面を読取る第１面読取り手段と原稿画像の裏面を読取る第２面読取り手段を有する自動原稿送り装置を備えた画像形成装置において、前記第２面読取り手段の搬送ギャップを調整可能な搬送ギャップ調整駆動手段を有する画像読取装置が記載されている。
【０００５】
また、特許文献３には、読取部経路先端部を、排紙経路に導くすくい上げガイドを備え、プラテンの表面から離間した位置に読取パスを形成した画像読取装置が記載されている。
【０００６】
また、原稿の画像読取装置には、従来から読取位置に原稿の紙粉等のごみが蓄積することにより、読取った原稿に縦すじが発生するという不具合が発生しており、この対策としては、原稿を強く読取面へ押し付け、原稿自身によってゴミを取り除くという方法が用いられている（セルフクリーニング）。
【０００７】
一方、読取面のゴミには、原稿に付着した糊状のものなど、セルフクリーニングでは取り除けない粘着系のゴミもあり、この対策としては、読取面にコーティングを施し、粘着物がつきにくくするという方法が採用されている。
【０００８】
このようなコーティングを施した画像読取装置とした以下のものがある。特許文献４には、読取対象の搬送されるシートの先端が、透明ガラスと接触する位置に非コーティング領域と、汚れ付着を防止するコーティング領域を近接して配置し、読取対象の汚れを読取箇所の手前の非コーティング領域で取り除く画像読取装置が記載されている。
【０００９】
また特許文献５には、画像読取装置に汚れ防止コーティングをする例として、背景部材の白基準データを読取り、シェーディング補正を行う読取装置において、該背景部材を汚れを分解する光触媒で被覆し、汚れ程度に応じて白基準部材を照射する画像読取装置が記載されている。
【特許文献１】特許３４７２０７６号公報
【特許文献２】特開２００４−２７４２７８号公報
【特許文献３】特開平１０−１７１１８２号公報
【特許文献４】特開２００５−２６９２１０号公報
【特許文献５】特開２００４−２８２１６６号公報
【発明の開示】
【発明が解決しようとする課題】
【００１０】
しかしながら、前述したコーティングは原稿の搬送によるより表面が徐々に取り除かれてしまい、特に前述したように紙粉を取り除くために原稿を強く読取面へ押し付けると、コーティングの寿命は著しく低下してしまうという問題があった。
【００１１】
本発明は紙粉の除去のために原稿を読取面に押し付ける動作を行う構成を備える原稿読取装置において読取面のコーティングの摩耗を防止できるようにし、長期間にわたって前記２種類の異なる性質のゴミによる縦すじの発生を防止することができる画像読取装置及び画像形成装置を提供することを目的とする。
【課題を解決するための手段】
【００１２】
請求項１の発明は、搬送される原稿を読取る原稿読取手段と、前記原稿読取手段に対向して設けられ、原稿を案内して原稿と原稿読取手段との距離を設定するガイド手段と、を具備する画像読取装置において、前記原稿読取手段の読取面は、汚れ分解機能を有するコーティング部材、又は、親水性を有するコーティング部材を備えてなり、前記ガイド手段と原稿読取手段との距離を変えることができる距離変更機構を備えることを特徴とする原稿読取装置である。
【００１３】
請求項２の発明は、請求項１記載の原稿読取装置において、前記距離変更機構は、原稿が前記原稿読取手段で読取られながら搬送されるとき、前記ガイド手段と前記原稿読取手段との距離を原稿読取に適した距離に保ち、原稿が前記原稿読取手段で読取られずに搬送されるとき、前記ガイド手段と原稿読取手段との距離を前記原稿読取に適した距離より広げることを特徴とする。
【００１４】
請求項３の発明は、請求項１又は２記載の原稿読取装置において、前記距離変更機構は、原稿読取手段とガイド手段の間の距離広げるソレノイドを備えることを特徴とする。
【００１５】
請求項４の発明は、請求項１又は２記載の原稿読取装置において、前記距離変更機構は、原稿読取手段とガイド手段の間の距離を広げるモータを備えることを特徴とする
【００１６】
請求項５の発明は、請求項４記載の原稿読取装置において、前記モータは、搬送ローラ駆動用のモータを兼ねていることを特徴とする。
【００１７】
請求項６の発明は、請求項１乃至５のいずれか記載の原稿読取装置において、原稿読取装置は原稿の表面及び裏面を読取る両面モードと、原稿の表面だけを読取る片面モードを備え、前記原稿読取手段は原稿の裏面を読取り可能な位置に配置され、前記距離変更機構は、画像読取装置の両面モード時に前記ガイド手段と原稿読取手段と間の距離を原稿読取に適した距離に保ち、原稿読取装置の片面モード時に前記原稿読取手段と原稿との距離を前記原稿読取に適した距離より広げることを特徴とする。
【００１８】
請求項７の発明は、請求項６記載の原稿読取装置において、前記距離変更機構は、原稿読取装置の片面モード時において、読取処理における原稿の１枚目についてはガイド手段と原稿読取手段との間の距離を前記原稿の読取に適した距離に保つことを特徴とする。
【００１９】
請求項８の発明は、請求項６記載の原稿読取装置において、前記距離変更機構は、原稿読取装置の片面モード時において、読取処理における最初の所定枚数の原稿についてはガイド手段と原稿読取手段との間の距離を前記原稿読取に適した距離に保つことを特徴とする。
【００２０】
請求項９の発明は、請求項１乃至８のいずれか記載の原稿読取装置において、前記距離変更機構は、原稿のジャム時に、原稿読取手段とガイド手段の間の距離を広げることを特徴とする。
【００２１】
請求項１０の発明は、請求項１乃至９のいずれか記載の原稿読取装置において、前記ガイド手段は、ローラであることを特徴とする。
【００２２】
請求項１１の発明は、請求項１０記載の原稿読取装置において、前記ローラ端部に軸受が配置されており、当該軸受の外周面の一部と前記原稿読取手段読取面を接触させることにより、前記ローラと原稿読取手段の距離を前記原稿読取に適した距離保ち、前記ローラと前記原稿読取手段と間の距離を広げるときは、前記軸受が固定された状態でローラのみが移動する構成を備えることを特徴とする。
【００２３】
請求項１２の発明は、請求項１０又は１１記載の原稿読取装置において、前記ローラと前記原稿読取手段との間の距離を広げているときには、前記ローラの回転を停止することを特徴とする請。
【００２４】
請求項１３の発明は、前記請求項１乃至請求項１２のいずれか記載の原稿読取装置を備えることを特徴とする画像形成装置である。
【発明の効果】
【００２５】
本発明に係る原稿読取装置によれば、距離変更機構でガイド手段と原稿読取手段との距離を変更するようにしたので、読取面のコーティングの摩耗を防止でき、長期間にわたって前記２種類の異なる性質のゴミによる縦すじの発生を防止することができるという効果がある。
【発明を実施するための最良の形態】
【００２６】
以下本発明を実施するための最良の形態としての実施例を図面に基づいて説明する。
【実施例】
【００２７】
本実施例において画像読取装置は、被読取原稿を固定された読取装置部に搬送し、所定の速度で搬送しながら画像読取を行う、被読取原稿処理装置（以下ＡＤＦ）に適用される。以下その基本的な構成、動作、作用について説明する。図１は画像読取装置の構成を示す概略断面図、図２は画像読取装置の全体制御系を示すブロック図である。
【００２８】
原稿読取装置は、コピー装置、ＭＦＰ等の画像形成装置の上部に配置されており、被読取原稿束をセットする原稿セット部Ａ、セットされた原稿束から１枚毎原稿を分離して給送する分離給送部Ｂ、給送された原稿を一次、突当整合する働きと、整合後の原稿を引き出し搬送する働きのレジスト部Ｃ、搬送される原稿をターンさせて、原稿面を読取り側（下方）に向けて搬送するターン部Ｄ、原稿の表面画像を、コンタクトガラスの下方より読取を行わせる第１読取搬送部Ｅ、読取後の原稿の裏面画像を読取る第２読取搬送部Ｆ、表裏の読取が完了した原稿を機外に排出する排紙部Ｇ、読取完了後の原稿を積載保持するスタック部Ｈを備える。また原稿読取装置は、これら搬送動作の駆動を行う駆動部であるピックアップモータ１０１、給紙モータ１０２、読取モータ１０３、排紙モータ１０４、底板上昇モータ１０５、更に、一連の動作を制御するＡＤＦ制御部１００を備えている。
【００２９】
原稿テーブル２は、可動原稿テーブル３を備えて構成され、読取られる原稿１がセットされる。原稿１は原稿テーブル２に原稿面を上向きの状態でセットされる。原稿テーブル２には、図示しないサイドガイドが備えられ、原稿１の幅方向を搬送方向と直行する方向に位置する。セットされた原稿１はセットフィラー４、セットセンサ５により検知され、Ｉ／Ｆ１０７により本体制御部１１１に送信される。
【００３０】
更に原稿テーブル２には、原稿長さ検知センサ３０，３１（反射型センサ又は、原稿１枚にても検知可能なアクチエーター・タイプのセンサが用いられる）が配置され、原稿長さ検知センサ３０，３１は、原稿の搬送方向長さを判定する。このとき原稿長さ検知センサ３０，３１は少なくとも同一原稿サイズの縦か横かを判断可能に配置される。
【００３１】
可動原稿テーブル３は、底板上昇モータ１０５により矢印ａ、ｂ方向に上下動可能となっている。可動原稿テーブル３に原稿がセットされたことを前記セットフィラー４、セットセンサ５により検知すると、底板上昇モータ１０５を正転させて原稿束の最上面がピックアップローラ７と接触するように可動原稿テーブル３を上昇させる。
【００３２】
ピックアップローラ７は、ピックアップモータ１０１によりカム機構で矢印ｃ、ｄ方向に動作すると共に、可動原稿テーブル３が上昇し可動原稿テーブル３上の原稿上面により押されてｃ方向に上がりテーブル上昇検知センサ８により上限を検知可能となっている。  
【００３３】
本体操作部１０８のプリントキーが押下され、本体制御部１１１からＩ／Ｆ１０７を介してＡＤＦ制御部１００に原稿給紙信号が送信されると、ピックアップローラ７は給紙モータ１０２の正転によりコロが回転駆動し、原稿テーブル２上の数枚（理想的には１枚）の原稿をピックアップする。回転方向は、最上位の原稿を給紙口に搬送する方向である。
【００３４】
給紙ベルト９は給紙モータ１０２の正転により給紙方向に駆動され、リバースローラ１０は１０２の正転により給紙と逆方向に回転駆動され、最上位の原稿とその下の原稿を分離して、最上位の原稿のみを給紙できる構成となっている。即ち、リバースローラ１０は給紙ベルト９と所定圧で接し、給紙ベルト９との直接接しているとき、又は原稿１枚を介して接している状態では給紙ベルト９の回転につられて反時計方向につれ回りし、原稿が２枚以上給紙ベルト９とリバースローラ１０の間に侵入したときは連れ回り力がトルクリミッターのトルクよりも低くなるように設定されており、リバースローラ１０は本来の駆動方向である時計方向に回転し、余分な原稿を押し戻す働きをし、重送が防止される。
【００３５】
給紙ベルト９とリバースローラ１０との作用により１枚に分離された原稿は給紙ベルト９によって更に送られ、突き当てセンサ１１によって先端が検知され更に進んで停止しているプルアウトローラ１２に突き当たる、その後前出の突き当てセンサ１１の検知から所定量の定められた距離だけ送られ、結果的には、プルアウトローラ１２に所定量撓みを持って押し当てられた状態で給紙モータ１０２を停止させることにより、給紙ベルト９の駆動が停止する。このとき、ピックアップモータ１０１を回転させることでピックアップローラを原稿上面から退避させ原稿を給紙ベルトの搬送力のみで送ることにより、原稿先端は、プルアウトローラ１２の上下ローラ対のニップに進入し、先端の整合（スキュー補正）が行われる。
【００３６】
プルアウトローラ１２は、前記スキュー補正機能を有すると共に、分離後にスキュー補正された原稿を中間ローラ１４まで搬送するものであり、給紙モータ１０２の逆転により駆動される。なお、給紙モータ１０２逆転時、プルアウトローラ１２と中間ローラ１４は駆動されるが、ピックアップローラ７と給紙ベルト９は駆動されていない。
【００３７】
原稿幅センサ１３は、奥行き方向に複数個並べられ、プルアウトローラ１２により搬送された原稿の搬送方向に直行する幅方向のサイズを検知する。また、原稿の搬送方向の長さは原稿の先端後端を突き当てセンサ１１で読取ることによりモータパルスから原稿の長さを検知する。
【００３８】
プルアウトローラ１２及び中間ローラ１４の駆動によりレジスト部Ｃからターン部Ｄに原稿が搬送される際には、レジスト部Ｃでの搬送速度を第１読取搬送部Ｅでの搬送速度よりも高速に設定して原稿を読取部へ送り込む処理時間の短縮が図られている。
【００３９】
原稿の先端が読取入口センサ１５により検出されると、読取入口ローラ１６の上下ローラ対のニップに原稿先端が進入前に、原稿搬送速度を読取搬送速度と同速にするために減速を開始すると同時に、読取モータ１０３を正転駆動して読取入口ローラ１６、読取り出口ローラ２３、ＣＩＳ出口ローラ２７を駆動する。原稿の先端をレジストセンサ１７にて検知すると、所定の搬送距離をかけて減速し、図示していない第１読取部が配置される読取位置２０の手前で一時停止すると共に、本体制御部１１１にＩ／Ｆ１０７を介してレジスト停止信号を送信する。続いて本体制御部１１１より読取り開始信号を受信すると、レジスト停止していた原稿は、読取位置に原稿先端が到達するまでに所定の搬送速度に立上がるように増速されて搬送される。読取モータのパルスカウントにより検出された原稿先端が読取部に到達するタイミングで、本体制御部１１１に対して第１面の副走査方向有効画像領域を示すゲート信号が、第１読取部を原稿後端が抜けるまで送信される。
【００４０】
片面原稿の読取りの場合には、第１読取搬送部Ｅを通過した原稿は第２読取部２５を経て排紙部Ｇへ搬送される。この際、排紙センサ２４により原稿の先端を検知すると、排紙モータ１０４を正転駆動して排紙ローラ２８を反時計方向に回転させる。また、排紙センサ２４による原稿の先端検知からの排紙モータパルスカウントにより、原稿後端が排紙ローラ２８の上下ローラ対のニップから抜ける直前に排紙モータ駆動速度を減速させて、排紙トレイ２９上に排出される原稿が飛び出さないように制御される。
【００４１】
両面原稿読取りの場合には、排紙センサ２４にて原稿先端を検知してから読取りモータのパルスカウントにより第２読取部２５に原稿先端が到達するタイミングでＣＣＤラインセンサで構成される第２読取部２５に対してＡＤＦ制御部１００から副走査方向の有効画像領域を示すゲート信号が読取部を原稿後端が抜けるまで送信される。第２読取部２５表面は、原稿に付着した糊上のものが読取ライン上に転写することによる縦すじを防止するため、コーティング処理が施されコーティング部材が配置されている。
【００４２】
このコーティング部材は、第２読取部２５の読取面に汚れ分解機能を有するコーティング材、又は、親水性を有するコーティング材を塗布して形成したものである。これらのコーティング材は公知のものを使用することができる。
【００４３】
次に第２読取部２５について説明する。図３は画像読取装置の読取制御系を示すブロック図である。第２読取部２５は、図３に示すように、原稿１裏面を照明する光源部２００と、原稿１からの反射光を検出して電気信号を出力するセンサチップ２０１が列設されたＣＣＤラインセンサとを備えている。センサチップ２０１で検出された信号は、ゲート２０２を経て、Ａ／Ｄコンバータ２０３でデジタル化され、デジタル化された信号は、画像処理部２０４、フレームメモリ２０５、出力制御部２０６、ＩＦ回路２０７を経て画像信号として本体制御部１１１に送出される。ＡＤＦ制御部１００からは、光源部２００に点灯信号が、出力制御部２０６にタイミング信号が供給されるほか第２読取部２５に電力が供給される。
【００４４】
第２読取ローラ２６は、原稿を案内して原稿と原稿読取手段との距離を設定するガイド手段であり、第２読取部２５における原稿の浮きを抑えると同時に、第２読取部におけるシェーディングデータを取得するための基準白部を兼ねるものである。本例では、第２読取部２５対向部にガイド手段として第２読取ローラ２６を配置した構成としているが、ガイド手段としてローラでなく、図４に示すような板状のガイド部材１２６を配置することができる。
【００４５】
図５はガイド手段であるローラを示す図であり、（ａ）は原稿読取時における概略断面図、（ｂ）は原稿移送時における概略断面図である。第２読取ローラ２６は、図５に示すように、第２読取部２５から離間する方向に移動可能な構成になっており、通常原稿１を読取る際は図５（ａ）のように、第２読取部２５表面から所定の位置を保った読取位置に配置した状態とし、原稿読取を行うのに適正な位置で搬送させる。一方、原稿１を読取らず搬送する場合には、図５（ｂ）に示すように、第２読取部２５表面から離れた搬送位置に配置した状態とすることができる。
【００４６】
第２読取ローラ２６を読取位置とした状態において、原稿１が読取位置へ押し付けられた状態で搬送されるため、前述したセルフクリーニング効果により、紙粉等のゴミを原稿自身で読取部から除去し、これらによる縦すじの不具合を防ぐことができる。
【００４７】
一方、片面原稿を通紙する際は、第２読取部２５で読取を行わず、第２読取部２５と第２読取ローラ２６の間を原稿１が通過するだけであるため、図５（ｂ）のように第２読取ローラ２６が第２読取部２５表面から離間する。これにより第２読取部２５の不要なコーティングの劣化を防ぐことができる。
【００４８】
次に第２読取ローラ２６を移動させて第２読取部２５との距離を変更する距離変更機構について説明する。図６は距離変更機構の構成を示す概略側面図である。本例では、第２読取ローラ２６の軸には、レバー３０３が連結されており、通常は引張スプリング３０２の作用で第２読取ローラ２６は、第２読取部２５から離れた搬送位置に配置される。ソレノイド３０１に通電されオン状態となると、ソレノイド３０１はレバー３０３を引き寄せ、レバー３０３が支点を中心に回動し、第２読取ローラ２６は第２読取部２５表面から適正な距離を保った読取位置に移動する。
【００４９】
また、距離変更機構は、ソレノイドを使用する他、モータを使用するものとできる。図７は他の例に係る距離変更機構の構成を示す概略側面図である。本例は、ローラ移動モータ３０４の駆動でプーリ３０５、ギヤ３０６を介してレバー３０７を回動させるものである。本例では、ローラ移動モータ３０４を回転駆動することにより第２読取ローラ２６の搬送位置と読取位置とに移動させる。本例によれば、モータの正逆転動でレバー３０７の駆動を行うため、ソレノイドを使用した装置に比してその駆動をより緩やかに行うことができるため、騒音や振動を防止することができる。
【００５０】
また、このモータは、第２読取ローラ２６の移動だけではなく、ギヤを介して他の搬送ローラの駆動に使用することができる。図８は他の例に係る距離変更機構の構成を示す概略側面図である。本例では、モータ３０８は、プーリ３０９を介して、ギヤ３１０及びギヤ３１１を回転駆動する。そしてギヤ３１０はレバー３１２を駆動して第２読取ローラ２６を移動させる。一方、ギヤ３１１にはベルト３１３が巻き掛けられ、このベルト３１３で搬送ローラ３１４が回転駆動される。搬送ローラ３１４の回転を１方向とする場合には、ワンウエイクラッチを配置しモータ３０８が正逆回転しても、ギヤ３１１が１方向にしか回らないように構成しておけばよい。本例によれば、１つのモータ３０８で、第２読取部２５と搬送ローラ３１４を駆動することができるので、モータの個数を削減でき、コストダウンと、機械の軽量化とを図ることができる。
【００５１】
次に本例に係る原稿読取装置の作動について説明する。図９はソレノイドを用いた距離変更機構の制御状態を示すフローチャートである。ユーザにより片面モード／両面モードが選択されると、それに応じてソレノイド３０１が動作し、所定の処理が行われる。即ち、ユーザにより片面モードが選択されると（ＳＴ１１）、ソレノイド３０１がオフ状態となり、第２読取ローラ２６が第２読取部２５から離れる搬送位置に配置される（ＳＴ１２）。この状態で原稿１の表面が第１読取部において読取られ（ＳＴ１４）、第２読取部２５と搬送位置にある第２読取ローラ２６との間を通過する。このとき、原稿１は第２読取部２５をこすることなく、第２読取部２５のコーティング部材を摩耗させることがない。
【００５２】
一方両面読取モードが選択されると（ＳＴ１１）ソレノイド３０１がオン状態となり第２読取ローラ２６が原稿読取位置に配置され、原稿１が第２読取部２５の表面に押し付けられる（ＳＴ１５）。そして、原稿１の表面が第１読取部で読取られ（ＳＴ１６）、次いで原稿１の裏面が第２読取部２５で読取られる（ＳＴ１８）。すべての原稿１が読取られるとソレノイド３０１はオフ状態となり、第２読取ローラ２６は搬送１に配置される（ＳＴ１９）。これらの処理をすべての原稿について行い原稿の読取り処理は終了する。
【００５３】
上記のように、両面読取時は第２読取ローラ２６で原稿１を第２読取部２５へ押し付け、読取部表面の紙粉等の汚れを除去し、片面読取時は押し付けないようにし、コーティングの劣化を防ぐ動作を説明したが、仮に片面読取動作のみが連続的に行われた場合、紙粉が第２読取部２５表面へ大量に蓄積することになる。この状態で両面読取動作が行われると、１回の原稿１搬送では紙粉を取り除ききれない場合がある。このような不具合を防ぐためには、例えば読取処理の１枚目のみは片面読取時であっても原稿１を第２読取部２５へ押し付けるようにする。
【００５４】
図１０は片面読取時に１枚目の原稿１を第２読取部に押し付ける制御を示すフローチャートである。本例では、ソレノイド３０１を当初はオン状態としておき（ＳＴ２１）、ユーザにより片面読取モードが選択されると（ＳＴ２２）、最初の１枚については、表面の読取を行い（ＳＴ２３）、さらにソレノイドをオン状態とし第２読取ローラ２６を読取位置にしたまま原稿１を通過させる。次いでソレノイド３０１をオフ状態として（ＳＴ２４）、次に読取る原稿１がない場合にはそのまま終了し、次に読取る原稿１がある場合には、ソレノイド３０１をオフ状態としたまま表面読取を行い（ＳＴ２６）この処理を原稿１がなくなるまで続ける（ＳＴ２７）。
両面読取モードが選択されたときには（ＳＴ２２）には、ソレノイド３０１をオン状態としたまま表面の読取（ＳＴ２８）、裏面の読取（ＳＴ２９）を行う。原稿１が無くなるまでこの処理を行い（ＳＴ３０）、原稿が無くなると、ソレノイド３０１をオフ状態（ＳＴ３１）として、第２読取ローラ２６を通過位置に戻して一連の読取処理を終了する。
【００５５】
この例のような制御を行うと、仮に１回の読取処理の最大枚数（セットできる最大積載枚数）が１００枚であったとしても、１００枚に１回は必ず、セルフクリーニングが行われることになる。
【００５６】
またこの動作は１読取処理に１回ではなく所定枚数の原稿の読取に１回（例えば２０枚原稿を通紙すると１回は必ず）セルフクリーニングが行われるようにするようにしてもよい。図１１は片面読取時に所定枚数に１回だけ原稿を第２読取部に押し付ける制御を示すフローチャートである。
【００５７】
片面読取モードが選択されると（ＳＴ４１）、ソレノイド３０１がオフ状態となり第２読取ローラ２６が搬送位置に配置される（ＳＴ４２）。この状態で表面の読取を行い（ＳＴ２３）、更に第２読取ローラ２６を搬送状態にしたまま原稿１を通過させる。そして、ｘ枚（例えば２０枚）毎にソレノイド３０１をオン状態として第２読取ローラ２６を搬送位置にして搬送を行う（ＳＴ４５，ＳＴ４６）。
【００５８】
両面読取モードが選択されたときには（ＳＴ４１）には、ソレノイド３０１をオン状態として表面の読取（ＳＴ４８）、裏面の読取（ＳＴ４９）を行う。原稿１が無くなるまでこの処理を行い（ＳＴ５０）、原稿１が無くなると、ソレノイド３０１をオフ状態として（ＳＴ５１）、第２読取ローラ２６を通過位置に戻して一連の読取処理を終了する。
【００５９】
また、本例において両面原稿読取時にジャムが発生した場合、第２読取ローラ２６が離間した搬送位置にできれば搬送路が広がるため、ジャム処理は容易になる。図１２はジャム発生時における距離変更機構の制御状態を示すフローチャートである。本例では、片面読取モードが選択されると（ＳＴ６１）、ソレノイド３０１がオフ状態となり第２読取ローラ２６が搬送位置に配置される（ＳＴ６２）。この状態でジャムが発生するとそのまま終了し、ジャムが発生しないと通常の表面の読取を行い、更に第２読取ローラ２６を搬送状態にしたまま原稿１を通過させ、この処理をすべての原稿について行う（ＳＴ６４）。
【００６０】
両面読取モードが選択されたときには（ＳＴ６１）には、ソレノイド３０１をオン状態として表面の読取、裏面の読取を行う。ジャムが発生したときにはソレノイド３０１をオフ状態とし（ＳＴ６７）第２読取ローラ２６が離間させて搬送位置とし、搬送路が広げジャム処理を行う。ジャムが発生しない場合にはた原稿が無くなるまで表面及び裏面の読取を原稿が無くなるまで行い（ＳＴ６８）、原稿が無くなると、ソレノイド３０１をオフ状態として（ＳＴ６９）、第２読取ローラ２６を通過位置に戻して一連の読取処理を終了する。
【００６１】
次に第２読取部２５と第２読取ローラ２６の距離調整について説明する。図１３は実施例に係るローラの駆動状態を示す図であり、（ａ）は原稿読取時における概略断面図、（ｂ）は原稿移送時における概略断面図、図１４はローラ駆動の不具合を示す図であり、（ａ）は原稿読取時における概略断面図、（ｂ）は原稿移送時における概略断面図である。
【００６２】
本例では、第２読取ローラ２６の軸２６ａを軸受３２０の長穴部３２１で支持し、２６ａを長穴部３２１の読取部側端部３２１ａに接触させて配置したときを読取位置に、軸２６ａを長穴部３２１の反読取部側端部３２１ｂに接触させて配置したとき搬送位置に配置するものとする。このように、長穴部３２１の読取部側端部３２１ａ及び反読取部側端部３２１ｂで軸２６ａの位置を規制するようにすれば、第２読取ローラ２６の軸２６ａの中心から第２読取部２５の読取面接触部までの距離を軸受３２０だけで管理することができる。
【００６３】
このような構成を採用せず、軸受３２０ごと移動するように構成すると、図１３に示すように、第２読取ローラ２６が読取位置（図１４（ａ））から搬送位置（図１４（ｂ））に移動し、再度読取位置に移動するとき、軸受３２０が第２読取部２５に衝突するおそれがあり、第２読取部２５の表面がガラス等の壊れやすい材質の場合、破損の危険性がある。本例によれば、このような不具合を防ぐことができる。
【００６４】
なお、第２読取ローラ２６は、通紙時において、原稿通過に伴う摺動負荷を低減するため、搬送方向に回転していることが好ましいが、搬送位置において、第２読取部２５との間隔が十分とれる場合、第２読取ローラ２６は回転させる必要はない。搬送位置において、第２読取ローラ２６の回転を停止すれば、その分の装置の電力消費を押さえることができる。
【００６５】
以上説明したように、本画像読取装置は、原稿読取部表面と対向部ガイドの距離を変えることができるため、原稿読取部表面と対向部ガイドの間を搬送する原稿の状態を変えることができる。
【００６６】
また、本画像読取装置は、原稿読取時は原稿読取部表面と対向部ガイドの距離を適正に保つため、セルフクリーニング効果により、紙粉等のゴミが読取ライン上に滞留することができると共に読取らないときはその距離を広げるため、セルフクリーニングが不要な状態で、不用意なに読取部表面のコーティングの劣化を防止することができる。
【００６７】
また、本画像読取装置は、単純な構成で原稿読取部表面と対向部ガイドの距離を変えることができるため、部品点数の削減、コストダウンを図ることができる。
【００６８】
また、本画像読取装置は、原稿読取部表面と対向部ガイドの距離を変えるときに動作を緩やかに行うことができるため、騒音や振動を防止することができる。
【００６９】
また、本画像読取装置は、原稿読取部表面と対向部ガイドの距離を変えるときに動作を緩やかに行うことができると共に、搬送用の駆動手段を減らすことができるため、部品点数の削減、コストダウンを図ることができる。
【００７０】
また、本画像読取装置は、片面読取モード／両面読取モードの切り替えにより、原稿読取部表面と対向部ガイドの距離を変えることができるため、読取りが必要な両面読取モードでは、セルフクリーニングを行い、読取る必要がない片面モードでは不用意な読取部表面のコーティングの劣化を防止することができる。
【００７１】
請また、本画像読取装置は、読取処理毎に原稿読取部表面と対向部ガイドの距離を適正に保つため、片面モードに偏った使用の場合でも定期的に、セルフクリーニングを行い、紙粉の滞留を防ぐことができる。
【００７２】
また、本画像読取装置は、原稿の一定枚数の通紙毎に原稿読取部表面と対向部ガイドの距離を適正に保つため、片面モードに偏った使用の場合でも定期的に、セルフクリーニングを行い、紙粉の滞留を防ぐことができる。
【００７３】
また、本画像読取装置は、原稿ジャム時に原稿読取部表面と対向部ガイドを離間するために、ジャム処理を容易に行うことができる。
【００７４】
また、本画像読取装置は、原稿読取部の対向部ガイドがローラであるため、通紙時の摺動負荷が低減される。
【００７５】
また、本画像読取装置は、原稿読取部の対向部ガイドがローラで、離間、接触の際にギャップを管理する軸受が移動しないため、離間、接触時の騒音、振動を防ぐことができる。
【００７６】
また、本画像読取装置は、原稿読取部表面と対向ローラ離間時には回転が停止しているため、その分の電力消費を押さえることができる。
【００７７】
そして本画像形成装置は、上述の原稿読取装置を使用しているため、読取面のコーティングの摩耗を防止でき、長期間にわたって前記２種類の異なる性質のゴミによる縦すじの発生を防止することができ、良好な画像形成を行うことができる。
【００７８】
尚、上記例では原稿読取手段として第２読取部を例として説明したが、第１読取部に本例を適用することができる。また、原稿読取手段が１つ又は３つ以上ある場合にも適用できる。
【図面の簡単な説明】
【００７９】
【図１】画像読取装置の構成を示す概略断面図である。
【図２】画像読取装置の全体制御系を示すブロック図である。
【図３】画像読取装置の読取制御系を示すブロック図である。
【図４】ガイド手段の他の例を示す概略断面図である。
【図５】ガイド手段であるローラを示す図であり、（ａ）は原稿読取時における概略断面図、（ｂ）は原稿移送時における概略断面図である。
【図６】距離変更機構の構成を示す概略側面図である。
【図７】他の例に係る距離変更機構の構成を示す概略側面図である。
【図８】他の例に係る距離変更機構の構成を示す概略側面図である。
【図９】ソレノイドを用いた距離変更機構の制御状態を示すフローチャートである。
【図１０】片面読取時に１枚目の原稿を第２読取部に押し付ける制御を示すフローチャートである。
【図１１】片面読取時に所定枚数に１回だけ原稿を第２読取部に押し付ける制御を示すフローチャートである。
【図１２】ジャム発生時における距離変更機構の制御状態を示すフローチャートである
【図１３】実施例に係るローラの駆動状態を示す図であり、（ａ）は原稿読取時における概略断面図、（ｂ）は原稿移送時における概略断面図である。
【図１４】ローラ駆動の不具合を示す図であり、（ａ）は原稿読取時における概略断面図、（ｂ）は原稿移送時における概略断面図である。
【符号の説明】
【００８０】
１  原稿
２  原稿テーブル
３  可動原稿テーブル
４  セットフィラー
５  セットセンサ
７  ピックアップローラ
８  テーブル上昇検知センサ
９  給紙ベルト
１０  リバースローラ
１１  当てセンサ
１２  プルアウトローラ
１３  原稿幅センサ
１４  中間ローラ
１５  読取入口センサ
１６  読取入口ローラ
１７  レジストセンサ
２０  読取位置
２３  出口ローラ
２４  排紙センサ
２５  第２読取部
２６  第２読取ローラ
２６ａ  軸
２７  ＣＩＳ出口ローラ
２８  排紙ローラ
２９  排紙トレイ
３０，３１  原稿長さ検知センサ
３０  原稿長さ検知センサ
１００  ＡＤＦ制御部
１０１  ピックアップモータ
１０２  給紙モータ
１０３  読取モータ
１０４  排紙モータ
１０５  底板上昇モータ
１０７  Ｉ／Ｆ
１０８  本体操作部
１１１  本体制御部
１２６  ガイド部材
２００  光源部
２０１  センサチップ
２０２  ゲート
２０３  Ａ／Ｄコンバータ
２０４  画像処理部
２０５  フレームメモリ
２０６  出力制御部
２０７  ＩＦ回路
３０１  ソレノイド
３０２  引張スプリング
３０３  レバー
３０４  ローラ移動モータ
３０５  プーリ
３０６  ギヤ
３０７  レバー
３０８  モータ
３０９  プーリ
３１０  ギヤ
３１１  ギヤ
３１２  レバー
３１３  ベルト
３１４  搬送ローラ
３２０  軸受
３２１  長穴部
３２１ａ  読取部側端部
３２１ｂ  反読取部側端部
Ａ  原稿セット部
Ｂ  分離給送部
Ｃ  レジスト部
Ｄ  ターン部
Ｅ  第１読取搬送部
Ｆ  第２読取搬送部
Ｇ  排紙部
Ｈ  スタック部
【図１】
2008258872.tif 000003
【図２】
2008258872.tif 000004
【図３】
2008258872.tif 000005
【図４】
2008258872.tif 000006
【図５】
2008258872.tif 000007
【図６】
2008258872.tif 000008
【図７】
2008258872.tif 000009
【図８】
2008258872.tif 000010
【図９】
2008258872.tif 000011
【図１０】
2008258872.tif 000012
【図１１】
2008258872.tif 000013
【図１２】
2008258872.tif 000014
【図１３】
2008258872.tif 000015
【図１４】
2008258872.tif 000016
【手続補正書】
【提出日】平成19年4月6日(2007.4.6)
【手続補正１】
【補正対象書類名】明細書
【補正対象項目名】０００２
【補正方法】変更
【補正の内容】
【０００２】
画像読取装置には、ＣＣＤ等のイメージセンサを利用した縮小光学系タイプのものと、原稿の横幅方向（主走査方向）に渡るライン形状の光源とイメージセンサを並列的に配置した密着型の等倍光学系タイプのものが存在する。いずれのタイプのイメージセンサであっても、原稿の画像を正確に読み取るためには、画像読取位置において、原稿を所定の一定速度で安定走行させると共に、原稿を読取面に近づけて走行させることが重要である。特に等倍光学系の密着イメージセンサは、縮小光学系のものと比較して焦点深度が極めて浅いために、原稿を読取面に密着走行させる必要がある。